(57)【要約】【課題】  帽子に付属しているリボンやコサージュなどの飾りは固定されている場合が多く、その時の服装に合わせたくても、替えることができないため、服装に合わせ帽子を数個所持することになるが、その都度購入していては経済的負担が大きい。また、帽子の形崩れを防ぐため、箱に入れて保管する帽子を複数所有している場合、嵩張って保管場所に困る。さらに、お洒落用の帽子はあご紐のないものが多いが、風で飛ばされる心配のあるときなど、必要な時だけあご紐が欲しい。本発明は、帽子の飾りが着脱でき、必要に応じてあご紐を着脱できる帽子を提供する。【解決手段】  帽子の側頭部に差し込み部を設け、着脱可能な飾りは帽子の差し込み部と係合可能な留め具を設け、着脱可能なあご紐は両端に着脱可能な飾りの留め具と係合可能な着脱用の取り付け穴を設けた着せ替え帽子。【選択図】図１
2012001832.tif 000002
【特許請求の範囲】
【請求項１】
差し込み部を設けた帽子と差し込み部に接続可能な留め具を設けた着脱可能な飾りからなることを特徴とした着せ替え帽子。
【請求項２】
留め具に取り付けて使用する着脱可能なあご紐を設けた請求項１の着せ替え帽子。
【発明の詳細な説明】
【技術分野】
【０００１】
本発明は、帽子を好みに着せ替えて楽しむことができるファッション性に優れた着せ替え帽子に関する。
【背景技術】
【０００２】
従来、帽子は既製品をそのまま使用する。違ったイメージの帽子が欲しいときは別の帽子を購入する他なく、帽子の所持数が多くなり収納に困り、経済的負担も大きい。
また、大人用やお洒落用の帽子はあご紐のないものが多いため、風で飛ばされる心配があった。
【発明の概要】
【発明が解決しようとする課題】
【０００３】
帽子に付属しているリボンやコサージュなどの飾りは固定されている場合が多く、その時の服装に合わせたくても、替えることができないため、服装に合わせ帽子を数個所有することになるが、その都度購入していては経済的負担が大きい。
また、帽子の形崩れを防ぐため、箱に入れて保管する帽子を複数所有している場合、嵩張って保管場所に困る。
さらに、お洒落用の帽子はあご紐のないものが多く、風で飛ばされる不安があり、必要な時だけあご紐を使いたい。
本発明は、以上の問題を解決するためになされたものである。
【課題を解決するための手段】
【０００４】
帽子の側頭部にボタンホールのような形状の差し込み部を設け、着脱可能な飾りはリボン等の装飾物で、その左右の側頭部にあたる位置に帽子の差し込み部と係合可能な留め具を設け、差し込み部に留め具を差し込み固定することで、帽子の飾りを取り替え、帽子のイメージを変えてお洒落を楽しめることができる着せ替え可能な帽子と、着脱可能なあご紐は両端に着脱可能な飾りの留め具と係合可能な着脱用の取り付け穴を設ける。
以上の構成よりなる帽子と着脱可能な飾りと着脱可能なあご紐を提供する。
【発明の効果】
【０００５】
従来、売られている帽子はそのまま使用していたが、着脱可能な飾りや着脱可能なあご紐を好みに組み合わせて装着することによって、個性的で多様な帽子のお洒落を楽しむことができる。
また、着脱可能な飾りによって、帽子の所有数を少なくできるため、経済的負担が軽減され、着脱可能な飾りは帽子より保管場所を取らないため、狭いスペースでの保管が可能となる。
さらに、帽子が風で飛ばされる心配がある時など、あご紐が必要な時は、簡単にあご紐を装着できる。汚れやすく痛みやすいあご紐を簡単に取り替えられるのも利点である。
本発明は、老若男女問わず帽子のお洒落を楽しめ、実用性も備えたものである。
【図面の簡単な説明】
【０００６】
【図１】本発明の実施形態の帽子の差し込み部の位置を示す斜視図
【図２】図１に示す帽子の差し込み部の拡大斜視図
【図３】本発明の着脱可能な飾りと着脱可能な飾りに設けた帽子の差し込み部と係合可能な留め具の位置を示す斜視図
【図４】図３に示す着脱可能な飾りに設けた留め具の拡大斜視図
【図５】本発明の着脱可能なあご紐と着脱可能な飾りに設けた留め具に係合する取り付け穴の位置を示す斜視図
【図６】図５に示す着脱可能なあご紐に設けた取り付け穴の拡大斜視図
【図７】図１に図３を装着する状態を示す斜視図
【図８】図１に図３を装着した状態の着脱部の断面図
【図９】図１に図３を装着した状態の斜視図
【図１０】図９に図５を装着する状態を示す斜視図
【図１１】図９に図５を装着した状態の着脱部の断面図
【図１２】図９に図５を装着した状態の斜視図
【図１３】図１に着脱可能な飾りの留め具にリボン等の飾りを設けた他の着脱可能な飾りを装着する状態を示す斜視図
【図１４】図１３の装着が完了し、あご部分でリボンを結んだ状態の斜視図
【図１５】本発明の他の実施形態の帽子の例の斜視図
【発明を実施するための形態】
【０００７】
以下、本発明の実施の形態を説明する。
【０００８】
ツバのある帽子の側頭部のクラウン（１）とツバ（２）の境にボタンホールのような形状の５ｍｍ〜５０ｍｍほどの差し込み部（３）を設ける（図１）が、１０ｍｍ〜２０ｍｍの差し込み部（３）が着脱しやすく、飾りをつけないで帽子を使用するとき、差し込み部が目立たないため好ましい。
【０００９】
差し込み部（３）は素材によって補強やほつれ防止を施す。
【００１０】
クラウン（１）とツバ（２）が一体になっているデザインの場合は側頭部に相当する位置に差し込み部（３）を設ける。
【００１１】
差し込み部（３）は着脱可能な飾り（４）の留め具（５）が外れにくい形状の差し込み部（３）がよいので、円形ではなく、ボタンホールのような形状が好ましい。（図２）
【００１２】
図３の着脱可能な飾り（４）は、輪の形状を有しているので、クラウン（１）の上部からツバ方向へ通すように装着し、側頭部となる左右の部分の留め具（５）を２箇所設けて、差し込み部（３）に留め具（４）を係合し、固定する。（図３）
【００１３】
帽子や着脱可能な飾り（４）の素材によって、側頭部の二箇所では装着状態が安定しない場合は、帽子の側頭部以外の場所にも、差し込み部（３）を設け、着脱可能な飾り（４）の留め具（５）は、差し込み部（３）の位置に合わせ設けることもある。
【００１４】
留め具（５）の素材は皮膚にあたることも考慮し、硬い金属素材ではなく、紐や布を編んで丸くまとめたものが、摩擦力が強いため抜けにくく好ましい。（図４）
【００１５】
留め具（５）の大きさは、５ｍｍ〜５０ｍｍの範囲で、差し込み部（３）に装着しやすく、抜けにくい大きさ、形状とするが、１０ｍｍ〜２０ｍｍほどが、邪魔に感じず好ましい。
【００１６】
帽子の素材は、布のほか、ビニール、紙、毛皮等、差し込み部を設けることができる素材であれば制限はない。
【００１７】
着脱可能な飾り（４）の素材は、リボンの他、皮ひも、スカーフ、バンダナ、スパンコール、ビーズ、毛糸、紙、ビニール等、留め具を設けることができる素材であれば制限はない。
【００１８】
着脱可能なあご紐（６）の両端に取り付け穴（７）を設ける。取り付け穴（７）は、留め具（５）から外れにくいボタンホールのような形状の穴とする。（図６）
【００１９】
あご紐の素材や色や形状も個性を出せる部分であるので、ラメ入りのゴム等であご紐を装着すれば、従来、お洒落に見えなかったあご紐がお洒落に見えるようになる。
【００２０】
本発明は以上のような構造である。
【００２１】
本発明を使用するときは、着脱可能な飾り（４）を、帽子の頭頂部からクラウン（１）とツバ（２）の境まで通し（図７）、着脱可能な飾り（４）の留め具（５）を差し込み部（３）に差し込み装着する（図８）。差し込み部（３）に留め具（５）を通すことにより、着脱可能な飾り（４）が、安定して帽子に装着される。（図９）
【００２２】
着脱可能なあご紐（６）を取り付けるときは、帽子に着脱可能な飾り（４）を装着した状態の側頭部付近にある留め具（６）に、着脱可能なあご紐の両端の取り付け穴（７）をそれぞれ通して装着する。（図１０、図１１、図１２）
【００２３】
着脱可能なあご紐を携帯していれば、帽子が風で飛ばされそうな時、帽子を被って自転車に乗るときなど、必要に応じてあご紐を着脱できるため、帽子が遠くへ飛ばされる心配がない。
【００２４】
着脱可能な飾り（４）は留め具（５）を設けていれば、様々なデザインや素材で作成することが可能で、差し込み部（３）のある帽子に着脱できる。例えば、図１３の着脱可能な飾り（４’）の留め具（５）部分に長めのリボン等（８）を設けたデザインは、長めのリボン等（８）の末端部分も差し込み部（３）に通し、あご下で結ぶことで、着脱可能なあご紐に代わるあご紐として使用できる。（図１４）
【００２５】
以上説明した実施形態では、帽子は図１５（ａ）の形状を例示したが、帽子の形状やデザインおよび素材に何らの限定はなく、着脱可能な飾り（４）と着脱可能なあご紐（６）も同様で、形状やデザインおよび素材に何らの限定はない。
【００２６】
帽子に差し込み部（３）と着脱可能な飾り（４）に留め具（５）が設けてあり、着脱可能なあご紐（６）には両端に取り付け穴（７）を設けていれば装着可能であるので、違う形の差し込み部のある帽子に、着脱可能な飾り（４）を取り付けて、別の組み合わせを楽しむことができる。
【００２７】
着脱可能な飾り（４）や着脱可能なあご紐（６）を装着しない状態でも、帽子の差し込み部（３）は縦長の形状をしており目立たないため、帽子の日差しを遮る等の実用的な機能を損なうことなく使用が可能である。図１５（ａ）
【００２８】
図１５（ｂ）、（ｃ）（ｄ）は同（ａ）にデザインの違う着脱可能な飾り（４’）を装着した実施形態であり、ひとつの帽子のイメージを個性的に変えることができる例である。
【００２９】
着脱可能な飾り（４）は、帽子本体を数個所持するより、保管場所をとらない。
【００３０】
従来の、帽子と飾りが一体のものは、帽子が洗える素材でも、飾り部分が洗えない等の不便があったが、帽子、着脱可能な飾り（４）、着脱可能なあご紐（６）はそれぞれ取り外すことができるため、それぞれの素材にあった洗濯が可能である。
【符号の説明】
【００３１】
１  クラウン
２  ツバ
３  差し込み部
４  着脱可能な飾り
５  留め具
６  着脱可能なあご紐
７  取り付け穴
８  長めのリボン等
【図１】
2012001832.tif 000003
【図２】
2012001832.tif 000004
【図３】
2012001832.tif 000005
【図４】
2012001832.tif 000006
【図５】
2012001832.tif 000007
【図６】
2012001832.tif 000008
【図７】
2012001832.tif 000009
【図８】
2012001832.tif 000010
【図９】
2012001832.tif 000011
【図１０】
2012001832.tif 000012
【図１１】
2012001832.tif 000013
【図１２】
2012001832.tif 000014
【図１３】
2012001832.tif 000015
【図１４】
2012001832.tif 000016
【図１５】
2012001832.tif 000017